(57)【特許請求の範囲】
【請求項１】
基板を所定温度で検査する基板検査装置に用いられる基板保持台であって、
検査対象の基板を保持する保持部を備えたプレートと、
前記プレートを所定の温度にする温度付与手段と、
前記保持部から空気を吸引する吸引部とを備え、
前記保持部は、前記プレートにおける前記基板を保持する側の面に弾性を有するシート部材が敷設されてなり、
前記シート部材は、その面方向の略中央部に、厚み方向に貫通する貫通孔を有するとともに、前記基板を載置する載置面に、前記貫通孔を中心として十文字の放射状に形成された溝を有し、
前記吸引部は、前記貫通孔および溝を介して前記シート部材の載置面から空気を吸引するものであることを特徴とする基板保持台。
【請求項２】
前記シート部材は、熱伝導性を有することを特徴とする請求項１記載の基板保持台。
【請求項３】
前記プレートにおける保持部の略中央には、前記基板に取り付けられる半導体チップのダイと嵌合する形状の凹部が設けられていることを特徴とする請求項１または２記載の基板保持台。
【請求項４】
前記溝は、平面視において前記凹部内部のシート部材に設けられていることを特徴とする請求項３記載の基板保持台。
【請求項５】
前記保持部に保持された前記基板を覆うカバー部材を備えることを特徴とする請求項１〜４のいずれかに記載の基板保持台。
【請求項６】
前記プレートは、前記保持部を複数有し、前記カバー部材は、前記複数の保持部を覆うと共に前記複数の保持部を覆う空間を前記保持部毎に仕切る隔壁を備えることを特徴とする請求項５記載の基板保持台。
【請求項７】
前記カバー部材で覆われた空間内へ、乾燥した空気を供給するドライエア供給部をさらに備えることを特徴とする請求項５又は６記載の基板保持台。
【発明の詳細な説明】
【技術分野】
【０００１】
本発明は、検査対象となる基板を所定温度にして検査する基板検査装置に用いられる基板保持台に関する。尚、この発明は、プリント配線基板に限らず、例えば、フレキシブル基板、多層配線基板、液晶ディスプレイやプラズマディスプレイ用の電極板、及び半導体パッケージ用のパッケージ基板やフィルムキャリアなど種々の基板における電気的配線の検査に適用でき、この明細書では、それら種々の配線基板を総称して「基板」と称する。
【背景技術】
【０００２】
従来、プリント配線基板等の基板上に形成された配線パターンの導通や、各配線パターン間の短絡不良の有無、あるいは配線パターンや配線パターン間の抵抗値を検査する基板検査を行うために、配線パターン上に形成されたパッドやランド等の複数の検査点に、例えば移動式の検査用接触子や多針状に保持された複数の検査用接触子等を接触させ、当該検査対象配線パターン上の検査点間における電気抵抗を測定することにより、基板検査を行う基板検査装置が知られている。
【０００３】
このような基板において、例えば配線パターンとビアホールとの間の接続が不完全となり、導通はしているものの接続状態が不安定となっている場合がある。このような不良では、検査時には検査点間で導通していると判断され、良品とされて製品に組み込まれた後、使用環境における温度ストレスによって不良が顕在化する場合がある。特に、基板の内部で配線パターン間を接続する埋込ビアホールにおける不完全な接続不良は、基板の外部から目視検査することができないため、検査によって検出することが困難である。
【０００４】
そこで、基板検査時において、検査対象の基板が載置された空間を加熱した高温環境と冷却した低温環境とに切り替えることにより、温度ストレスをかけた状態で検査を行うことによって、このような不完全な接続不良を検出するようにした検査装置が提案されている（例えば、特許文献１参照。）。
【特許文献１】特開２００１−２１５２５７号公報
【発明の開示】
【発明が解決しようとする課題】
【０００５】
ところで、上述のように、検査対象の基板の載置空間を高温、低温環境に切り替えることで温度ストレスをかけて検査を行う検査装置では、基板の加熱及び冷却に時間が掛かるという不都合があった。また、基板に温度ストレスをかける方法としては、基板を保持する基板保持台の温度を変化させることにより基板の温度を変化させ、基板を所定の温度にすることが考えられるが、基板の凹凸等により基板と基板保持台との間の接触面積が十分に確保できず、基板の温度を所定の温度にするのに時間が掛かるという不都合があった。
【０００６】
本発明は、このような問題に鑑みて為された発明であり、被検査基板の温度を所定の温度にする時間を短縮することができる基板保持台を提供することを目的とする。尚、本発明は上述のような高温と低温との温度ストレスを基板にかけるものに限らず、基板を所定の温度で検査するものに適用できることは言うまでもない。
【課題を解決するための手段】
【０００７】
本発明に係る基板保持台は、基板を所定温度で検査する基板検査装置に用いられる基板保持台であって、検査対象の基板を保持する保持部を備えたプレートと、前記プレートを所定の温度にする温度付与手段と、前記保持部から空気を吸引する吸引部とを備え、前記保持部は、前記プレートにおける前記基板を保持する側の面に弾性を有するシート部材が敷設されてなり、前記シート部材は、その面方向の略中央部に、厚み方向に貫通する貫通孔を有するとともに、前記基板を載置する載置面に、前記貫通孔を中心として十文字の放射状に形成された溝を有し、前記吸引部は、前記貫通孔および溝を介して前記シート部材の載置面から空気を吸引するものであることを特徴としている。
【０００８】
この構成によれば、温度付与手段によって所定温度にされたプレートと、検査対象の基板との間の密着度がシート部材によって向上されるので、プレートと検査対象の基板との間の熱抵抗が低減され、基板の温度を所定温度にするまでの時間を短縮することができる。また、シート部材に載置された基板は、吸引部によって貫通孔から空気が吸引されることによって、シート部材に吸着されるので、基板とシート部材との密着度が向上し、シート部材に載置された基板とプレートとの間の熱抵抗が低減され、プレートによる基板の温度付与速度が増大され、基板の温度を所定温度にするまでの時間を短縮することができる。さらにまた、貫通孔を中心として十文字の放射状に形成された溝によって、空気の吸引による吸着面積が増大されるので、基板とシート部材との密着度が向上し、シート部材に載置された基板とプレートとの間の熱抵抗が低減され、プレートによる基板の温度付与速度が増大され、基板の温度を所定温度にするまでの時間を短縮することができる。
【０００９】
また、上述の基板保持台において、前記シート部材は、熱伝導性を有することを特徴としている。この構成によれば、シート部材上に保持された基板とプレートとの間の熱抵抗が低減されるので、プレートによる基板の温度付与速度が増大され、基板の温度を所定温度にするまでの時間を短縮することができる。
【００１２】
また、上述の基板保持台において、前記プレートにおける保持部の略中央には、前記基板に取り付けられる半導体チップのダイと嵌合する形状の凹部が設けられていることを特徴としている。この構成によれば、半導体チップのダイが取り付けられた基板とプレートの凹部とが嵌合するので、当該基板およびダイとシート部材との密着度が向上し、プレートによる基板の温度付与速度が増大され、基板の温度を所定温度にするまでの時間を短縮することができる。
【００１３】
また、上述の基板保持台において、前記溝は、平面視において前記凹部内部のシート部材に設けられていることを特徴としている。この構成によれば、凹部内に設けられたシート部材の溝によって、ダイにおける空気の吸引による吸着面積が増大されるので、基板およびダイとシート部材との密着度が向上し、シート部材に載置された基板およびダイとプレートとの間の熱抵抗が低減される結果、プレートによる基板の温度付与速度が増大され、基板の温度を所定温度にするまでの時間を短縮することができる。
【００１４】
また、上述の基板保持台において、前記保持部に保持された前記基板を覆うカバー部材を備えることを特徴としている。この構成によれば、保持部に保持された基板は、カバー部材によって覆われるので、基板がカバー部材の外部の空気にさらされることが低減され、基板の温度を所定温度にするまでの時間を短縮することができる。
【００１５】
また、上述の基板保持台において、前記プレートは、前記保持部を複数有し、前記カバー部材は、前記複数の保持部を覆うと共に前記複数の保持部を覆う空間を前記保持部毎に仕切る隔壁を備えることを特徴としている。この構成によれば、複数の保持部を覆う空間が隔壁により分離されるので、各保持部により保持された基板周辺の気流が乱れることが低減され、基板の温度分布が均一化される。
【００１６】
また、上述の基板保持台において、前記カバー部材で覆われた空間内へ、乾燥した空気を供給するドライエア供給部をさらに備えることを特徴としている。この構成によれば、保持部により保持された基板はカバー部材によって覆われると共に、カバー部材によって覆われた空間内へ乾燥した空気が供給されるので、基板が冷却されることによる結露の発生が低減される。
【発明の効果】
【００１７】
このような構成の基板保持台は、温度付与手段によって所定温度にされたプレートと、検査対象の基板との間の密着度がシート部材によって向上されるので、プレートと検査対象の基板との間の熱抵抗が低減され、基板の温度を所定温度にするまでの時間を短縮することができる。
【発明を実施するための最良の形態】
【００１８】
以下、本発明に係る実施形態を図面に基づいて説明する。なお、各図において同一の符号を付した構成は、同一の構成であることを示し、その説明を省略する。
【００１９】
図１は、本発明の一実施形態に係る基板保持台を用いた基板検査装置の構成の一例を示す外観斜視図である。図１に示す基板検査装置１は、略箱状の筐体２に収納されている。そして、基板検査装置１の外部には、例えばシリカゲルを用いて空気を乾燥させると共にシリカゲルを加熱して乾燥する空気乾燥機３と、空気乾燥機３で乾燥されると共に加熱されたシリカゲルによって温度が上昇した空気を冷却する空気冷却機４とがダクトによって基板検査装置１と接続されている。また、空気乾燥機６が、ダクトによって基板検査装置１と接続されている。
【００２０】
空気乾燥機３と空気冷却機４とは、筐体２内部の空気を循環させて、例えば零度以下の露点（特に限定されるものではないが、露点温度０℃〜−１０℃）となるように乾燥させる。また、空気乾燥機６は、例えば高分子膜に空気を透過させることにより空気を乾燥させる空気乾燥機で、例えば被検査基板の冷却温度より低い露点温度（特に限定されるものではないが、露点温度−１０℃〜―７０℃）の乾燥した空気を基板検査装置１へ供給する。
【００２１】
筐体２には、操作表示部１１，１２と、検査対象の基板を受け入れる受入口１３と、検査終了後の基板を排出する排出口１４と、例えばＣＲＴ（Cathode Ray Tube）により構成されたモニタ１５と、筐体２内部を目視確認できる窓１６，１７とが設けられている。操作表示部１１，１２は、例えばタッチパネル式液晶表示器等から構成され、ユーザーからの検査の実行指示等の操作指示を受け付けたり、被検査基板の検査結果を表示したりする。
【００２２】
図２は、基板検査装置１における筐体２の内部の構造の一例を示す概略構成図である。図３は、基板検査装置１の筐体２内部を上面視した概略構成を示す平面図である。図２、図３には、各図との方向関係を明確にするために、ＸＹＺ直交座標軸が示されている。ここで、Ｙ軸は装置の奥行き方向、Ｘ軸は被検査基板を各検査ステージに搬送する方向、Ｚ軸は被検査基板の面に垂直な方向である。
【００２３】
図２に示す基板検査装置１は、投入ワークホルダ２１（受入部）、冷却保持部２２（基板保持台）、予熱保持部２３、加熱保持部２４（基板保持台）、収納ワークホルダ２５（収納部）、蓋体２６，２７，３０、固定蓋体２８，２９、複数のノズル３１（エア吹付部）、搬送部３２、カメラ３３，３４、非接触温度計３５，３６、移動式プローブ３７，３８、吸引ポンプ３９（吸引部）、ドライエア吹出口５１、及びドライエア排出口５２を備えている。
【００２４】
ドライエア吹出口５１は、ダクトを介して空気冷却機４と接続されており、空気乾燥機３と空気冷却機４とによって、例えば、零度以下の露点（特に限定されるものではないが、露点温度０℃〜−１０℃）を有する乾燥空気を筐体２内に供給する。ドライエア排出口５２は、ダクトを介して空気乾燥機３と接続されており、筐体２内の空気を空気乾燥機３へ排出して筐体２内部の空気を循環させる。
【００２５】
蓋体２６及び蓋体２７は、Ｘ軸方向にスライド自在に構成され、図略の駆動機構によりスライド移動されて冷却保持部２２又は加熱保持部２４の上部開口部をそれぞれ開閉可能にされている。また、蓋体３０は、Ｙ軸方向にスライド自在に構成され、図略の駆動機構によりスライド移動されて予熱保持部２３の上部開口部を開閉可能にされている。吸引ポンプ３９は、搬送部３２、冷却保持部２２、予熱保持部２３、及び加熱保持部２４に接続された図略のチューブを介して空気を吸引する。
【００２６】
また、基板検査装置１は、Ｙ軸方向に延びるガイドレール４１（第１の移送部）及びガイドレール４２（第２の移送部）と、Ｘ軸方向に延びるガイドレール４３と、Ｘ軸方向に延びる２本のガイドレール４４，４４と、ガイドレール４４，４４間を掛け渡すようにＹ軸方向に延びるガイドレール４５，４６とを備えている。そして、図略の駆動機構によって、ガイドレール４１に沿って冷却保持部２２がスライド自在に構成され、ガイドレール４２に沿って加熱保持部２４がスライド自在に構成され、ガイドレール４３に沿って搬送部３２がスライド自在に構成され、ガイドレール４４，４４に沿ってガイドレール４５，４６がそれぞれスライド自在に構成されている。
【００２７】
また、ガイドレール４５，４６には昇降機構４７，４８がそれぞれ相対向する向きに取り付けられ、昇降機構４７，４８は、ガイドレール４５，４６に沿って図略の駆動機構によりスライド自在に構成されている。そして、昇降機構４７，４８の相対向する位置には、移動式プローブ３７，３８がそれぞれ取り付けられ、昇降機構４７，４８によってＺ軸方向に昇降自在にされている。これにより、移動式プローブ３７，３８は、それぞれＸ，Ｙ，Ｚ軸方向に移動可能にされている。
【００２８】
図４は、投入ワークホルダ２１の詳細の一例を示す斜視図である。図４に示す投入ワークホルダ２１は、方形の被検査基板８が載置された状態を示している。そして、投入ワークホルダ２１の上面には、被検査基板８の四つ角を支持するように形成された凹部２１１が５つ一列に並べて形成されており、ユーザが凹部２１１に被検査基板８をはめ込むことにより、被検査基板８が所定位置に位置決めされるようになっている。
【００２９】
投入ワークホルダ２１の端部には、取っ手２１２が取り付けられており、ユーザが取っ手２１２を引っ張ることにより、投入ワークホルダ２１が筐体２から引き出されて被検査基板８を投入ワークホルダ２１に載置可能となり、ユーザが投入ワークホルダ２１における凹部２１１に被検査基板８をはめ込んで、投入ワークホルダ２１を筐体２に押し込むことにより、被検査基板８が基板検査装置１に受け入れられるようになっている。
【００３０】
図５は、被検査基板８の表裏の一例を示す図である。図５に示す被検査基板８は、例えばＢＧＡ（Ball Grid Array）等のＩＣパッケージに用いられるパッケージ基板であり、ダイ８２が実装された状態にされている。図５（ａ）はハンダボールによって回路基板に接続されるパット８１等の配線パターンが設けられている側の外観を示し、図５（ｂ）はダイ８２が実装された被検査基板８を側面視した図であり、図５（ｃ）は被検査基板８におけるダイ８２が実装された側の外観を示す平面図である。
【００３１】
図５に示す被検査基板８において、パット８１は被検査基板８の内層に形成された配線パターンやインナーバイア及び基板表面に形成された配線パターン８３等の配線を介してそれぞれダイ８２に接続され、ダイ８２を介して他のパット８１に接続されている。なお、被検査基板８は、ＢＧＡのパッケージ基板には限られず、ダイ８２が実装されていないものの場合もあり、ダイ８２を介さず直接パット８１等の検査点となる配線パターン同士が導通するものの場合もある。
【００３２】
図６は、本発明の一実施形態に係る基板保持台の一例である冷却保持部２２の構成を示す外観斜視図である。図６に示す冷却保持部２２は、例えばアルミ等、熱伝導率の高い材料を用いて構成された略板状の冷却プレート２２１と、冷却プレート２２１上に列をなして五つ設けられた載置部２２２ａ，２２２ｂ，２２２ｃ，２２２ｄ，２２２ｅ（保持部）と、載置部２２２ａ，２２２ｂ，２２２ｃ，２２２ｄ，２２２ｅの周囲を囲むように設けられた壁状の側壁部２２３と、側壁部２２３により囲まれた空間を載置部２２２ａ，２２２ｂ，２２２ｃ，２２２ｄ，２２２ｅ毎に仕切る複数の仕切板２２４（隔壁）と、冷却プレート２２１を冷却する冷却器２２０（温度付与手段）とを備えて構成されている。冷却器２２０は、例えば冷却プレート２２１の下部に配設された図略のペルチェ素子と、当該ペルチェ素子における放熱部を空冷する冷却ファン２２５とを備えて構成されている。
【００３３】
図７は、載置部２２２ａ及び載置部２２２ａを囲む側壁部２２３と仕切板２２４とを示す部分拡大図である。図７に示す載置部２２２ａにおいて、側壁部２２３及び仕切板２２４により囲まれた載置部２２２ａにおける四辺の近傍に、空気乾燥機６から供給された、被検査基板の冷却温度より露点温度が低い乾燥した空気を放出する孔２２６（ドライエア供給部）が設けられている。また、載置部２２２ａにおける冷却プレート２２１の略中央に、ダイ８２と略同一形状の凹部２２７が形成され、凹部２２７の略中央に、吸引ポンプ３９と図略のチューブを介して接続された孔２２８が設けられている。
【００３４】
また、載置部２２２ａにおける冷却プレート２２１の上面に、凹部２２７と孔２２６とを避けるようにシート部材２２９が密着して取り付けられている。さらに、凹部２２７の底部には、凹部２２７の周囲、及び孔２２８を中心として十文字すなわち孔２２８から放射状に溝２７１を形成するように、四つの小片にされたシート部材２７２が密着して取り付けられている。すなわち、略方形の四つのシート部材２７２が、互いに間隔を空けて碁盤の目状に並んで凹部２２７の底部に取り付けられることにより、当該間隔が溝２７１を形成するようにされている。そして、シート部材２２９とシート部材２７２とによって、ダイ８２と嵌合する形状の凹部が形成されるようになっている。
【００３５】
シート部材２２９，２７２は、略板状の弾性を有する熱伝導性のシートであり、例えばシリコンゴムを用いて構成されている。シート部材２２９，２７２としては、例えば信越化学社製ＴＣ５０ＴＸＥや、３Ｍ社製５５０９Ｓ等の熱伝導シートを用いることができる。また、この場合、溝２７１における十文字の中央部分が請求項における貫通孔に相当している。
【００３６】
なお、溝２７１は、孔２２８から放射状に拡がっていればよく、十文字状の溝に限らない。また、冷却プレート２２１には凹部２２７が形成されずに平坦にされ、冷却プレート２２１の平坦な上面にシート部材２２９が密着して取り付けられ、シート部材２２９の厚み内で凹部２２７を形成する構成としてもよい。また、凹部２２７を設けず、平坦な冷却プレート２２１の上面にシート部材２２９を密着して取り付け、平坦なシート部材２２９を貫通して孔２２８に達する貫通孔と、その貫通孔から放射状に拡がる溝とを設けてもよい。また、吸引ポンプ３９を備えず、基板検査装置１の外部から供給された低圧の空気をチューブ（吸引部）によって孔２２８に供給する構成としてもよい。
【００３７】
載置部２２２ｂ，２２２ｃ，２２２ｄ，２２２ｅの構成は、載置部２２２ａの構成と同様であるのでその説明を省略する。
【００３８】
図８は、本発明の一実施形態に係る基板保持台の一例である予熱保持部２３及び加熱保持部２４の構成の一例を示す外観斜視図である。図８に示す予熱保持部２３は、例えばアルミ等、熱伝導率の高い材料を用いて構成された略板状の予熱プレート２３１と、予熱プレート２３１上に列をなして五つ設けられた載置部２３２ａ，２３２ｂ，２３２ｃ，２３２ｄ，２３２ｅ（保持部）と、載置部２３２ａ，２３２ｂ，２３２ｃ，２３２ｄ，２３２ｅの周囲を囲むように設けられた壁状の側壁部２３３と、側壁部２３３により囲まれた空間を載置部２３２ａ，２３２ｂ，２３２ｃ，２３２ｄ，２３２ｅ毎に仕切る複数の仕切板２３４（隔壁）と、予熱プレート２３１の下部に配設され、予熱プレート２３１を加熱する予熱用ヒータ２３５（温度付与手段）とを備えて構成されている。
【００３９】
また、加熱保持部２４は、図８に示す予熱保持部２３とほぼ同様の構成にされており、例えばアルミ等、熱伝導率の高い材料を用いて構成された略板状の加熱プレート２４１と、加熱プレート２４１上に列をなして五つ設けられた載置部２４２ａ，２４２ｂ，２４２ｃ，２４２ｄ，２４２ｅ（保持部）と、載置部２４２ａ，２４２ｂ，２４２ｃ，２４２ｄ，２４２ｅの周囲を囲むように設けられた壁状の側壁部２４３と、側壁部２４３により囲まれた空間を載置部２４２ａ，２４２ｂ，２４２ｃ，２４２ｄ，２４２ｅ毎に仕切る複数の仕切板２４４（隔壁）と、加熱プレート２４１の下部に配設され、加熱プレート２４１を加熱する加熱用ヒータ２４５（温度付与手段）とを備えて構成されている。
【００４０】
図９は、加熱保持部２４における載置部２４２ａ及び載置部２４２ａを囲む側壁部２４３と仕切板２４４とを示す部分拡大図である。図９に示す載置部２４２ａにおける加熱プレート２４１の略中央に、ダイ８２と略同一形状の凹部２４７が形成され、凹部２４７の略中央に、吸引ポンプ３９と図略のチューブを介して接続された孔２４８が設けられている。
【００４１】
また、載置部２４２ａにおける加熱プレート２４１の上面に、凹部２４７を避けるようにシート部材２４９が密着して取り付けられている。さらに、凹部２４７の底部には、凹部２４７の周囲、及び孔２４８を中心として十文字すなわち孔２４８から放射状に溝２５０を形成するように、四つの小片にされたシート部材２５１が密着して取り付けられている。すなわち、略方形の四つのシート部材２５１が、互いに間隔を空けて碁盤の目状に並んで凹部２４７の底部に取り付けられることにより、当該間隔が溝２５０を形成するようにされている。これにより、シート部材２４９とシート部材２５１とによって、ダイ８２と嵌合する形状の凹部が形成されるようになっている。
【００４２】
シート部材２４９，２５１は、シート部材２２９，２７２と同様の略板状の弾性を有する熱伝導性のシートであり、例えばシリコンゴムを用いて構成されている。また、この場合、溝２５０における十文字の中央部分が請求項における貫通孔に相当している。
【００４３】
なお、溝２５０は、孔２４８から放射状に拡がっていればよく、十文字状の溝に限らない。また、加熱プレート２４１には凹部２４７が形成されずに平坦にされ、加熱プレート２４１の平坦な上面にシート部材２４９が密着して取り付けられ、シート部材２４９の厚み内で凹部２４７を形成する構成としてもよい。また、凹部２４７を設けず、平坦な加熱プレート２４１の上面にシート部材２４９を密着して取り付け、平坦なシート部材２４９を貫通して孔２４８に達する貫通孔と、その貫通孔から放射状に拡がる溝とを設けてもよい。
【００４４】
加熱保持部２４における載置部２４２ｂ，２４２ｃ，２４２ｄ，２４２ｅの構成は、載置部２４２ａの構成と同様であるのでその説明を省略する。また、予熱保持部２３における載置部２３２ａ，２３２ｂ，２３２ｃ，２３２ｄ，２３２ｅは、加熱保持部２４における載置部２４２ａ，２４２ｂ，２４２ｃ，２４２ｄ，２４２ｅと同様に凹部２４７、孔２４８、シート部材２４９，２５１、及び溝２５０を備えて構成されている。
【００４５】
図１０は、蓋体２６，２７の構成の一例を示す分解斜視図である。蓋体２６と蓋体２７とは、同様の構成にされており、略板状のシート２６１が４枚と、冷却保持部２２及び加熱保持部２４における載置部２２２ａ〜２２２ｅ及び載置部２４２ａ〜２４２ｅの位置と対応するように板状の部材に開口部が設けられたスペーサ２６２とが、スペーサ２６２をシート２６１の間に挟んで交互に積層されて構成されている。
【００４６】
これにより、蓋体２６，２７は、４枚のシート２６１によって３層の空気層を挟んだ断熱構造にされ、冷却保持部２２への熱の侵入及び加熱保持部２４からの熱の放出を低減するようになっている。
【００４７】
また、蓋体２６，２７の一方端側には、蓋体２６，２７の長手方向と垂直な方向に延びる長孔２６３が設けられている。長孔２６３は、カメラ３３，３４による被検査基板８のアライメント及び非接触温度計３５，３６による温度測定を行うための孔で、アライメントや温度測定の際に、長孔２６３を介して被検査基板８の画像を撮影したり、被検査基板８から放射される赤外線を検出したりするために必要な最小限の大きさにすることで、アライメントや温度測定を行う際における冷却保持部２２及び加熱保持部２４に載置された被検査基板８の温度変化を低減するようにされている。
【００４８】
図１１は、蓋体３０の構成の一例を示す説明図である。図１１に示す蓋体３０は、略板状のシート３０１が４枚と、予熱保持部２３における載置部２３２ａ〜２３２ｅの位置と対応するように板状の部材に開口部が設けられたスペーサ３０２とが、スペーサ３０２をシート３０１の間に挟んで交互に積層されて構成されている。これにより、蓋体３０は、蓋体２６，２７と同様にして、予熱保持部２３からの熱の放出を低減するようになっている。
【００４９】
図１２は、固定蓋体２８，２９の構成の一例を示す説明図である。固定蓋体２８と固定蓋体２９とは、略同一の構成にされており、蓋体２６，２７と同様に略板状のシート２８１が４枚と、冷却保持部２２及び加熱保持部２４における載置部２２２ａ〜２２２ｅ及び載置部２４２ａ〜２４２ｅの位置と対応するように板状の部材に開口部が設けられたスペーサ２８２とが、スペーサ２８２をシート２８１の間に挟んで交互に積層されて構成されている。
【００５０】
これにより、固定蓋体２８，２９は、４枚のシート２８１によって３層の空気層を挟んだ断熱構造にされ、冷却保持部２２への熱の侵入及び加熱保持部２４からの熱の放出を低減するようになっている。
【００５１】
また、固定蓋体２８，２９の一方端側には、載置部２２２ａ〜２２２ｅ及び載置部２４２ａ〜２４２ｅにおける載置部一箇所分と同じ又はより小さい大きさにされた開口部２８３が設けられている。開口部２８３は、移動式プローブ３７，３８を用いて冷却保持部２２及び加熱保持部２４に載置された被検査基板８の配線パターンの導通検査を行うための開口部で、載置部一箇所分の大きさ、すなわち移動式プローブ３７，３８による被検査基板８の検査のために必要な最小限の大きさにされているので、移動式プローブ３７，３８による検査中の被検査基板８以外の被検査基板８における温度変化を低減するようにされている。
【００５２】
図２に戻って、収納ワークホルダ２５は、略長方形のテーブル状に構成されており、上面に、被検査基板８を五つ載置可能にされている。そして、収納ワークホルダ２５の側部には、収納ワークホルダ２５の上部に載置された五つの被検査基板８に向けて、空気乾燥機３から供給される常温の乾燥した空気を吹き付ける１０本のノズル３１が配設されている。収納ワークホルダ２５には、加熱保持部２４で例えば１００°Ｃ程度の高温に加熱された被検査基板８が載置されるので、ノズル３１によって収納ワークホルダ２５上の被検査基板８に常温の空気を吹き付けることにより、被検査基板８を把持した際に人が火傷をすることのない４０°Ｃ程度の温度まで被検査基板８を冷却する時間を短縮することができる。
【００５３】
収納ワークホルダ２５の端部には、取っ手２５２が取り付けられており、ユーザが取っ手２５２を引っ張ることにより、収納ワークホルダ２５が筐体２から引き出されて収納ワークホルダ２５に載置された検査済みの被検査基板８を取り出し可能にされている。
【００５４】
搬送部３２の下部には、被検査基板８を吸着するバキュームヘッド３２１が五つ配設されており、図略の昇降機構により、五つのバキュームヘッド３２１がＺ軸方向に昇降可能にされている。また、五つのバキュームヘッド３２１は、図略のチューブを介して吸引ポンプ３９と接続され、被検査基板８を吸着して保持するようになっている。
【００５５】
そして、搬送部３２は、投入ワークホルダ２１によって受け入れられ凹部２１１にはめ込まれた被検査基板８をバキュームヘッド３２１によって吸着して冷却保持部２２における載置部２２２ａ〜２２２ｅへ搬送し、冷却保持部２２に載置された被検査基板８をバキュームヘッド３２１によって吸着して予熱保持部２３における載置部２４２ａ〜２４２ｅへ搬送し、予熱保持部２３に載置された被検査基板８をバキュームヘッド３２１によって吸着して加熱保持部２４における載置部２４２ａ〜２４２ｅへ搬送し、加熱保持部２４に載置された被検査基板８をバキュームヘッド３２１によって吸着して収納ワークホルダ２５へ搬送する。
【００５６】
カメラ３３及びカメラ３４は、冷却保持部２２における載置部２２２ａ〜２２２ｅ及び加熱保持部２４における載置部２４２ａ〜２４２ｅにそれぞれ載置された被検査基板８のアライメントを行うための画像を撮影するカメラである。また、カメラ３３，３４によって撮影された画像はモニタ１５へ出力され、ユーザがカメラ３３，３４によって撮影された画像を確認できるようになっている。
【００５７】
非接触温度計３５，３６は、例えば赤外線によって物体の表面温度を測定する非接触の温度計で、冷却保持部２２における載置部２２２ａ〜２２２ｅ及び加熱保持部２４における載置部２４２ａ〜２４２ｅにそれぞれ載置された被検査基板８の温度を測定する。
【００５８】
図１３は、移動式プローブ３７，３８の詳細を示す外観図である。移動式プローブ３７と移動式プローブ３８とは、同様の構成にされており、弾性を有する線状の導電性材料からなる２本のプローブ３７１と、筒状体の内部に２本のプローブ３７１を貫通させて被検査基板８の検査点に略垂直に支持する支持部材３７２とを備えている。そして、２本のプローブ３７１における検査点と接触する部分である先端部３７３を除き、２本のプローブ３７１の表面には絶縁被覆が形成されている。また、２本のプローブ３７１における先端部３７３の反対側は、２本の信号線３７４を介して後述する検査制御部５０へそれぞれ接続されている。
【００５９】
これにより、二つの検査点間における導通を検査する場合、一方の検査点に移動式プローブ３７の２本のプローブ３７１を圧接し、他方の検査点に移動式プローブ３８の２本のプローブ３７１を圧接し、移動式プローブ３７における一方のプローブ３７１と移動式プローブ３８における一方のプローブ３７１との間に電流を流し、移動式プローブ３７における他方のプローブ３７１と移動式プローブ３８における他方のプローブ３７１との間に生じた電圧を測定することにより、四端子測定法による高精度の抵抗測定を行うようにされている。
【００６０】
図１４は、基板検査装置１の電気的構成の一例を示すブロック図である。図１４に示す基板検査装置１は、操作表示部１１，１２、モニタ１５、カメラ３３，３４、非接触温度計３５，３６、吸引ポンプ３９、移動式プローブ３７，３８、搬送駆動部４０、プローブ駆動部４９、検査制御部５０、制御部６０、温度調節器６１，６２，６３、冷却器２２０、予熱用ヒータ２３５、及び加熱用ヒータ２４５を備えている。
【００６１】
温度調節器６１，６２，６３は、制御部６０により設定された設定温度に応じて温度制御を行う制御回路によって構成されており、例えばＰＩＤ制御等に基づく温度制御を行ういわゆる電子式温度調節器が用いられる。温度調節器６１は、冷却プレート２２１の温度を制御部６０により設定された設定温度にさせるべく、冷却器２２０の動作を制御する。温度調節器６２は、予熱プレート２３１の温度を制御部６０により設定された設定温度にさせるべく、予熱用ヒータ２３５の動作を制御する。温度調節器６３は、加熱プレート２４１の温度を制御部６０により設定された設定温度にさせるべく、加熱用ヒータ２４５の動作を制御する。
【００６２】
搬送駆動部４０（蓋体開閉部）は、例えばモータやギア、ベルト等の駆動機構により構成されており、制御部６０からの制御信号に応じて、冷却保持部２２をガイドレール４１に沿ってＹ軸方向に移送したり、加熱保持部２４をガイドレール４２に沿ってＹ軸方向に移送したり、蓋体２６をＸ軸方向にスライドさせて冷却保持部２２の上部開口部を開閉したり、蓋体３０をＹ軸方向にスライドさせて予熱保持部２３の上部開口部を開閉したり、蓋体２７をＸ軸方向にスライドさせて加熱保持部２４の上部開口部を開閉したり、搬送部３２をガイドレール４３に沿ってＸ軸方向に移動させたり、バキュームヘッド３２１をＺ軸方向に昇降させたりする。
【００６３】
プローブ駆動部４９は、検査制御部５０からの制御信号に応じて、移動式プローブ３７をガイドレール４４，４５に沿ってＸ，Ｙ軸方向に移動させたり昇降機構４７によってＺ軸方向に昇降させたりする。また、プローブ駆動部４９は、検査制御部５０からの制御信号に応じて、移動式プローブ３８をガイドレール４４，４６に沿ってＸ，Ｙ軸方向に移動させたり昇降機構４８によってＺ軸方向に昇降させたりする。
【００６４】
検査制御部５０は、被検査基板８の検査を行う制御回路で、例えば所定の演算処理を実行するＣＰＵ（Central Processing Unit）と、所定の制御プログラムが記録されたＲＯＭ（Read Only Memory）と、データを一時的に記録するＲＡＭ（Random Access Memory）と、その周辺回路等とを備えて構成されている。
【００６５】
具体的には、検査制御部５０は、制御部６０からの制御信号に応じて、プローブ駆動部４９へ制御信号を出力して移動式プローブ３７，３８をそれぞれ被検査基板８におけるパット８１等の検査点へ移動させると共に圧接させ、移動式プローブ３７，３８に接続された信号線３７４を介して二箇所の検査点間における抵抗値を四端子測定法により測定する。このとき、検査制御部５０は、制御部６０から得られた検査点の位置のアライメント情報に応じて、移動式プローブ３７，３８を圧接させる位置を補正するようになっている。
【００６６】
そして、検査制御部５０は、被検査基板８において予め設定された全ての検査点間について、抵抗値が予め設定された閾値以下であれば、当該被検査基板８は良品であると判定してその判定結果を示す信号を制御部６０へ出力する一方、被検査基板８において予め設定されたいずれかの検査点間について、抵抗値が予め設定された閾値を超えていれば、当該被検査基板８は当該検査点間に導通不良があるものと判定し、その判定結果を示す信号を制御部６０へ出力する。
【００６７】
なお、検査制御部５０は、被検査基板８の良否判定を行うことなく各検査点間における抵抗測定値を制御部６０へ出力してもよい。また、温度ストレスにより各検査点間において生じる抵抗値の変化は微小なものとなるので、高精度の抵抗値測定が可能な四端子測定法が適しているが、基本的には検査制御部５０は、検査点間の抵抗測定を行うものであればよい。従って、検査制御部５０は、必ずしも四端子測定法による抵抗測定を行うものに限られず、移動式プローブ３７，３８は、それぞれ一本ずつプローブ３７１を備えるものであってもよい。
【００６８】
また、移動式プローブ３７，３８の代わりに複数の検査点に多針状に保持された複数の検査用接触子を同時に押し当てて接触させ、それら複数の検査用接触子との間で選択的に検査用信号を入出力することにより各検査点間の抵抗測定を行うようにしてもよい。あるいは、移動式プローブ３７，３８の代わりに静電容量やレーザ光等を用いて非接触で配線パターンの検査を行うようにしてもよい。
【００６９】
制御部６０は、基板検査装置１における全体の動作を制御する制御回路で、例えば所定の演算処理を実行するＣＰＵと、所定の制御プログラムが記録されたＲＯＭと、データを一時的に記録するＲＡＭと、その周辺回路等とを備えて構成されている。
【００７０】
具体的には、制御部６０は、操作表示部１１，１２によって受け付けられたユーザの操作指示を示す信号を受信して、当該操作指示に応じて温度調節器６１，６２，６３へ制御信号を出力し、温度調節器６１，６２，６３の設定温度を設定することにより、温度調節器６１，６２，６３による温度制御を開始させ、被検査基板８の冷却、加熱に先立って、予め冷却保持部２２における冷却プレート２２１を所定の設定温度、例えば０°Ｃに冷却させ、予熱保持部２３及び加熱保持部２４における予熱プレート２３１及び加熱プレート２４１を所定の設定温度、例えば１００°Ｃに加熱させる。
【００７１】
また、制御部６０は、吸引ポンプ３９に制御信号を出力して吸引動作を開始させ、被検査基板８を載置部２２２ａ〜２２２ｅ、載置部２３２ａ〜２３２ｅ、載置部２４２ａ〜２４２ｅ、及びバキュームヘッド３２１に吸着させる。
【００７２】
そして、制御部６０は、搬送駆動部４０へ制御信号を出力して被検査基板８を冷却保持部２２、予熱保持部２３、及び加熱保持部２４に順次搬送させつつ、検査制御部５０に制御信号を出力して被検査基板８が冷却された状態と、加熱された状態とにおいて基板検査を行わせる。また、制御部６０は、検査制御部５０による被検査基板８の検査に際して、非接触温度計３５，３６により測定された被検査基板８の温度を取得して予め設定された温度範囲となっていることを確認し、カメラ３３及びカメラ３４により撮影された被検査基板８の画像から検査位置のアライメント情報を取得して検査制御部５０へ送信した後、検査制御部５０による被検査基板８の検査を実行させる。
【００７３】
次に、上述のように構成された基板検査装置１の動作について説明する。まず、空気乾燥機３及び空気冷却機４の電源が投入されると、空気乾燥機３及び空気冷却機４によって乾燥空気がドライエア吹出口５１から筐体２内に供給されると共に筐体２内の空気がドライエア排出口５２から空気冷却機４へ戻されて循環し、筐体２内に乾燥空気が充満する。これにより、冷却保持部２２で冷却される被検査基板８の表面や、冷却保持部２２の表面、及びその周辺部等、低温になる部分で結露が発生することが抑制される。
【００７４】
次に、空気乾燥機６の電源が投入されると、空気乾燥機６によって例えば露点温度−６０°Ｃの乾燥した空気が冷却保持部２２における冷却プレート２２１に設けられた孔２２６から載置部２２２ａ〜２２２ｅへ供給される。これにより、最も低温となる載置部２２２ａ〜２２２ｅにおいて結露が発生することが抑制される。
【００７５】
図１５、図１６は、基板検査装置１の動作を説明するための説明図である。以下、図２、図１４、図１５、図１６を参照しつつ、基板検査装置１の動作を説明する。まず、操作表示部１１によって、ユーザーからの検査の実行を開始する旨の操作指示が受け付けられると、制御部６０からの制御信号に応じて、吸引ポンプ３９による吸引が開始され、載置部２２２ａ〜２２２ｅ、載置部２３２ａ〜２３２ｅ、載置部２４２ａ〜２４２ｅ、及びバキュームヘッド３２１が、被検査基板８を吸引可能な状態にされる。
【００７６】
次に、制御部６０によって、温度調節器６１の設定温度を例えば０°Ｃに設定する旨の制御信号が出力され、温度調節器６１によって、冷却器２２０の動作が制御されて冷却保持部２２における冷却プレート２２１の温度が例えば０°Ｃにされる（ステップＳ１）。
【００７７】
同様に、制御部６０によって、温度調節器６２，６３の設定温度を例えば１００°Ｃに設定する旨の制御信号が出力され、温度調節器６２によって予熱用ヒータ２３５の動作が制御されて予熱保持部２３における予熱プレート２３１の温度が１００°Ｃにされる（ステップＳ２）と共に、温度調節器６３によって加熱用ヒータ２４５の動作が制御されて加熱保持部２４における加熱プレート２４１の温度が１００°Ｃにされる（ステップＳ３）。
【００７８】
これにより、冷却保持部２２による被検査基板８の冷却、予熱保持部２３による被検査基板８の予熱、及び加熱保持部２４による被検査基板８の加熱に先立って、予め冷却プレート２２１が所定の設定温度に冷却され、予熱プレート２３１及び加熱プレート２４１が所定の設定温度に加熱されると共に、冷却プレート２２１、予熱プレート２３１及び加熱プレート２４１の温度がそれぞれ設定温度に維持される。
【００７９】
次に、ユーザが取っ手２１２を引っ張ることにより投入ワークホルダ２１が筐体２から引き出され、ユーザが投入ワークホルダ２１の五箇所の凹部２１１に五つの被検査基板８をはめ込むように載置して投入ワークホルダ２１を押し込むことにより、被検査基板８が基板検査装置１に投入され、受け入れられる（ステップＳ４）。
【００８０】
次に、制御部６０からの制御信号に応じて、搬送部３２により、投入ワークホルダ２１に載置された五つの被検査基板８が冷却保持部２２における載置部２２２ａ，２２２ｂ，２２２ｃ，２２２ｄ，２２２ｅへそれぞれ搬送される（ステップＳ５）。そうすると、被検査基板８は、図７に示す載置部２２２ａにおいて、ダイ８２が凹部２２７にはめ込まれてダイ８２の表面がシート部材２７２に密着し、被検査基板８におけるダイ８２の周囲の基板部分がシート部材２２９に密着する。この場合、シート部材２２９，２７２は弾性を有するので、被検査基板８との密着度が向上する。
【００８１】
そして、吸引ポンプ３９によって孔２２８から空気が吸引されるので、被検査基板８が吸着されてシート部材２２９，２７２に押し付けられ、さらに密着度が向上される。この場合、例えば被検査基板８に反りがある等、被検査基板８が平坦でない場合には、被検査基板８を載置部２２２ａに載置しただけでは被検査基板８の表面がシート部材２２９，２７２と密着せず、部分的に浮き上がってしまうおそれがある。
【００８２】
しかし、載置部２２２ａにおいては孔２２８から空気が吸引され、被検査基板８が吸着されてシート部材２２９，２７２に押し付けられるので、被検査基板８に反りがある場合であっても被検査基板８とシート部材２２９，２７２との密着度を向上させることができる。また、シート部材２７２には、孔２２８から放射状に形成された溝２７１が形成されているので被検査基板８の吸着面積が拡大し、載置部２２２ａにおける被検査基板８の吸着力を向上させることができる。
【００８３】
さらに、被検査基板８がダイ８２と逆側に凸に反っている場合、載置部２２２ａにおいてダイ８２、すなわち被検査基板８の中央部付近を吸着することにより基板の反りが矯正される。実験によれば、ダイ８２と逆側に最大６５．２μｍ凸に反っている場合、載置部２２２ａによって被検査基板８の中央部付近を吸着した後に再度被検査基板８の基板の反りを測定すると反りの最大値が５５．０μｍとなり、基板の反りが１０．２μｍ改善された。
【００８４】
なお、載置部２２２ａを例に説明したが、載置部２２２ｂ〜２２２ｅにおいても同様に、被検査基板８が吸着されてシート部材２２９，２７２と密着される。
【００８５】
そして、制御部６０からの制御信号に応じて、搬送駆動部４０によって蓋体２６が冷却保持部２２の上部にスライド移動され、載置部２２２ａ〜２２２ｅにおける側壁部２２３及び仕切板２２４の上端部からなる開口部が蓋体２６によって閉蓋される。この場合、側壁部２２３及び仕切板２２４からなる上端開口部と、蓋体２６とは、スライド可能な程度に微少な間隔を空けて閉蓋されるようになっている。
【００８６】
これにより、載置部２２２ａ〜２２２ｅにおいて吸着された被検査基板８は、側壁部２２３，仕切板２２４、及び蓋体２６によって覆われ、外気から略遮断される。また、蓋体２６は、４枚のシート２６１によって３層の空気層を挟んだ断熱構造にされているので、側壁部２２３，仕切板２２４、及び蓋体２６によって覆われた空間への外部からの熱の侵入や、被検査基板８周辺の気流の乱れが低減される。この場合、側壁部２２３，仕切板２２４、及び蓋体２６によって、カバー部材が構成されている。
【００８７】
なお、側壁部２２３，仕切板２２４、及び蓋体２６によってカバー部材を構成する例に限られず、例えば有底筒状のカバー部材を被検査基板８に被せるようにして覆う構成としてもよい。
【００８８】
そして、載置部２２２ａ〜２２２ｅにおいて、側壁部２２３，仕切板２２４、及び蓋体２６によって覆われた空間に、孔２２６から放出された乾燥空気、例えば露点温度−６０°Ｃの空気が充満するので、載置部２２２ａ〜２２２ｅ及び被検査基板８において結露が発生することが抑制される。
【００８９】
さらに、被検査基板８は、予め所定の設定温度、例えば０°Ｃにされた冷却プレート２２１によって、熱伝導性のシートであるシート部材２２９，２７２を介して冷却されるので、載置部２２２ａに被検査基板８が載置されてから冷却プレート２２１を冷却する場合よりも被検査基板８の冷却速度を向上させることができる。
【００９０】
また、吸引ポンプ３９によって被検査基板８が弾性を有するシート部材２２９，２７２に吸着され、密着度が向上されるので、被検査基板８と冷却プレート２２１との間における熱伝導率が増大され、冷却プレート２２１による被検査基板８の冷却速度が増大される。そして、シート部材２２９，２７２は、被検査基板８における一方表面全体と密着するので、被検査基板８の全体に渡って均一に冷却され、被検査基板８における各部の温度を均一化することができる。さらに、被検査基板８は、側壁部２２３，仕切板２２４、及び蓋体２６によって覆われ、外部からの熱の侵入や被検査基板８周辺の気流の乱れが低減されるので、被検査基板８における各部の温度の均一性を向上させることができる。
【００９１】
図１７、図１８は、冷却保持部２２により被検査基板８を冷却した場合の被検査基板８上の四隅近傍と中央付近とにおける温度変化を実験的に測定した結果を示すグラフである。図１７は蓋体２６を開蓋した状態で測定した結果を示すグラフであり、図１８は蓋体２６を閉蓋した状態で測定した結果を示すグラフである。
【００９２】
図１７に示すように、蓋体２６を開蓋した状態では、被検査基板８を載置部２２２ａに吸着させ、冷却を開始（Ｔ０）してから２２秒後（Ｔ１）における被検査基板８の温度は、最も温度が高い箇所で４．０℃、最も温度が低い箇所で１．３℃となり、さらに冷却を開始（Ｔ０）してから１２５秒後（Ｔ２）における被検査基板８の温度は、最も温度が高い箇所で２．５℃、最も温度が低い箇所で０．６℃となった。
【００９３】
一方、図１８に示すように、蓋体２６を閉蓋した状態では、被検査基板８を載置部２２２ａに吸着させ、冷却を開始（Ｔ０）してから２２秒後（Ｔ１）における被検査基板８の温度は、最も温度が高い箇所で２．６℃、最も温度が低い箇所で１．０℃となり、さらに冷却を開始（Ｔ０）してから１２５秒後（Ｔ２）における被検査基板８の温度は、最も温度が高い箇所で０．６℃、最も温度が低い箇所で−０．１℃となった。
【００９４】
以上のように、図１７、図１８に示す実験結果から、冷却時間Ｔ１において、蓋体２６を開蓋した状態では、最高４．０℃、最低１．３℃であるのに対し、蓋体２６を閉蓋した状態では、最高２．６℃、最低１．０℃となり、冷却時間Ｔ２において、蓋体２６を開蓋した状態では、最高２．５℃、最低０．６℃であるのに対し、蓋体２６を閉蓋した状態では、最高０．６℃、最低０．１℃となり、時間Ｔ１，Ｔ２のいずれにおいても蓋体２６を閉蓋した場合の方が被検査基板８の温度が低くなり、蓋体２６を閉蓋することにより、被検査基板８の冷却速度が増大することが確認できた。
【００９５】
また、同様に、図１７、図１８に示す実験結果から、冷却時間Ｔ１において、蓋体２６を開蓋した状態では、最高温度と最低温度との差が２．７℃であるのに対し、蓋体２６を閉蓋した状態では、最高温度と最低温度との差が１．７℃となり、冷却時間Ｔ２において、蓋体２６を開蓋した状態では、最高温度と最低温度との差が１．９℃であるのに対し、蓋体２６を閉蓋した状態では、最高温度と最低温度との差が０．６℃となり、蓋体２６を閉蓋することにより、温度測定箇所による温度差が縮小し、被検査基板８における温度分布が均一化されることが確認できた。
【００９６】
このようにして、冷却保持部２２により被検査基板８の冷却が行われる（ステップＳ６）。図１９、図２０、図２１は、冷却保持部２２による被検査基板８の冷却状態におけるアライメント、温度測定、及び基板検査動作を説明するための説明図である。図１９、図２０、図２１において、後述する加熱保持部２４による被検査基板８の加熱状態におけるアライメント、温度測定、及び基板検査動作もほぼ同様であるので、これら加熱状態における動作に関わる構成の符号も併せて記載している。
【００９７】
そして、ステップＳ６において図１９に示すように、蓋体２６を閉蓋した状態で冷却プレート２２１上の被検査基板８が冷却され、予め設定された所定時間、例えば３０秒が経過すると、制御部６０からの制御信号に応じて搬送駆動部４０によって、冷却保持部２２がガイドレール４１に沿って移送され、図２０に示すように、載置部２２２ａに吸着されている被検査基板８が長孔２６３と対向する位置に位置決めされる。
【００９８】
そして、カメラ３３によって、長孔２６３を介して載置部２２２ａに吸着されている被検査基板８の画像が制御部６０へ送信され、制御部６０によってその被検査基板８の画像から検査位置のアライメント情報が取得されて検査制御部５０へ送信され、検査制御部５０によって、制御部６０からのアライメント情報に基づいて、被検査基板８を検査するための位置情報が補正される（ステップＳ７）。また、非接触温度計３５によって、長孔２６３を介して載置部２２２ａに吸着されている被検査基板８の温度が測定されてその測定温度を示す温度データが制御部６０へ送信され、制御部６０によって、被検査基板８の温度が予め設定された温度範囲、例えば０℃±３℃になっているか否かが確認される（ステップＳ８）。この場合、長孔２６３は、カメラ３３によって被検査基板８の画像を撮影したり、非接触温度計３５によって被検査基板８から放射される赤外線を検出したりするために必要な最小限の大きさにされているので、空気が長孔２６３を介して出入りすることが低減され、被検査基板８の温度変化が低減される。
【００９９】
そして、被検査基板８の温度が例えば０℃±３℃の範囲に入っていなければ被検査基板８の温度が当該温度範囲となるまで待って、被検査基板８の温度が例えば０℃±３℃の範囲となれば、制御部６０からの制御信号に応じて搬送駆動部４０によって、冷却保持部２２がガイドレール４１に沿って載置部一つ分だけ移送され、載置部２２２ｂが長孔２６３と対向する位置に位置決めされ、ステップＳ７，Ｓ８の動作が繰り返される。この場合、載置部２２２ａ〜２２２ｅはそれぞれ仕切板２２４によって仕切られているので、アライメント処理中、及び温度測定中の被検査基板８以外の被検査基板８は、長孔２６３を介して出入りする空気にさらされることがなく、被検査基板８の温度変化が低減される。
【０１００】
このようにして載置部２２２ａ〜２２２ｅに吸着されている五枚の被検査基板８について、アライメント処理（ステップＳ７）と温度測定（ステップＳ８）が繰り返された後、制御部６０からの制御信号に応じて搬送駆動部４０によって、冷却保持部２２がガイドレール４１に沿って移送され、図２１に示すように、載置部２２２ａに吸着されている被検査基板８が開口部２８３と対向する位置（第１の検査位置）に位置決めされる。
【０１０１】
そして、制御部６０からの制御信号に応じて検査制御部５０による基板検査が行われる（ステップＳ９）。具体的には、検査制御部５０からの制御信号に応じて、プローブ駆動部４９によって、移動式プローブ３７，３８が移動され、開口部２８３を介して被検査基板８における二箇所の検査点に移動式プローブ３７，３８におけるプローブ３７１の先端部３７３がそれぞれ圧接され、検査制御部５０によって、当該二箇所の検査点間における抵抗値が四端子測定法により測定される。
【０１０２】
そして、検査制御部５０によって、載置部２２２ａに吸着されている被検査基板８において予め設定された全ての検査点間について、抵抗値が予め設定された閾値以下であれば、当該被検査基板８は良品であると判定されてその判定結果を示す信号が制御部６０へ出力される一方、被検査基板８において予め設定されたいずれかの検査点間について、抵抗値が予め設定された閾値を超えていれば、当該被検査基板８は導通不良があるものと判定され、その判定結果を示す信号が制御部６０へ出力されることにより、基板検査が行われる。
【０１０３】
この場合、開口部２８３は、載置部一箇所分の大きさにされており、載置部２２２ａ〜２２２ｅはそれぞれ仕切板２２４によって仕切られているので、検査制御部５０による基板検査処理中の被検査基板８以外の被検査基板８は、開口部２８３を介して出入りする空気にさらされることがなく、被検査基板８の温度変化が低減される。
【０１０４】
このようにして、載置部２２２ａに吸着されている被検査基板８の基板検査が終了すると、制御部６０からの制御信号に応じて搬送駆動部４０によって、冷却保持部２２がガイドレール４１に沿って載置部一つ分だけ移送され、以降、検査制御部５０による基板検査と搬送駆動部４０による載置部一つ分の冷却保持部２２の移送動作が繰り返されて、載置部２２２ｂ〜２２２ｅに吸着されている各被検査基板８について基板検査が行われる（ステップＳ９）。
【０１０５】
この場合、冷却プレート２２１には、五つの載置部２２２ａ〜２２２ｅが設けられ、同時に五つの被検査基板８を冷却することができるので、被検査基板８を一つずつ冷却する場合と比べて冷却時間を短縮することができる。また、五つの被検査基板８は、搬送部３２によってガイドレール４３に沿ってＸ軸方向に搬送されて冷却プレート２２１に載置され、冷却プレート２２１が搬送部３２による搬送方向と交差するＹ軸方向に搬送された後に、被検査基板８を移動式プローブ３７，３８による検査が実行されるので、ガイドレール４３に沿ってＸ軸方向に移動動作を行う搬送部３２の移動範囲外に移動式プローブ３７，３８及びこれらを駆動するガイドレール４４，４５，４６、昇降機構４７，４８、プローブ駆動部４９等の移動式プローブにおける駆動機構を配設して、搬送部３２と移動式プローブの駆動機構との干渉を避けることが容易となる。
【０１０６】
そして、載置部２２２ａ〜２２２ｅに吸着されている被検査基板８のすべてについて基板検査が終了すると、制御部６０からの制御信号に応じて、搬送駆動部４０によって、冷却保持部２２がガイドレール４１に沿って図２におけるＹ軸方向手前側に移送され、蓋体２６が開蓋され、搬送部３２におけるバキュームヘッド３２１が、載置部２２２ａ〜２２２ｅにおける各被検査基板８を吸着可能な搬送位置（第１の搬送位置）に位置決めされる。
【０１０７】
次に、制御部６０からの制御信号に応じて、搬送部３２により、冷却保持部２２における載置部２２２ａ〜２２２ｅに載置された五つの被検査基板８が予熱保持部２３における載置部２３２ａ〜２３２ｅへ搬送され、搬送駆動部４０によって蓋体３０が予熱保持部２３の上部にスライド移動され、載置部２３２ａ〜２３２ｅにおける側壁部２３３及び仕切板２３４の上端部からなる開口部が蓋体３０によって閉蓋される（ステップＳ１０）。
【０１０８】
そうすると、被検査基板８は、図９に示す載置部２３２ａにおいて、ダイ８２が凹部２４７にはめ込まれてダイ８２の表面がシート部材２５１に密着し、被検査基板８におけるダイ８２の周囲の基板部分がシート部材２４９に密着する。この場合、シート部材２４９，２５１は弾性を有するので、被検査基板８との密着度が向上する。
【０１０９】
そして、上述したステップＳ５において冷却保持部２２における載置部２２２ａ〜２２２ｅにより被検査基板８が吸着された場合と同様に、予熱保持部２３における載置部２３２ａ〜２３２ｅにより被検査基板８が吸着され、被検査基板８とシート部材２４９，２５１とが密着される。これにより、被検査基板８は、予め所定の設定温度、例えば１００°Ｃにされた予熱プレート２３１によって、熱伝導性のシートであるシート部材２４９，２５１を介して加熱されるので、載置部２３２ａ〜２３２ｅに被検査基板８が載置されてから予熱プレート２３１を加熱する場合よりも被検査基板８の加熱速度を向上させることができる。
【０１１０】
また、吸引ポンプ３９によって被検査基板８が弾性を有するシート部材２４９，２５１に吸着され、密着度が向上されるので、被検査基板８と予熱プレート２３１との間における熱伝導率が増大され、予熱プレート２３１による被検査基板８の加熱速度が増大される。そして、シート部材２４９，２５１は、被検査基板８における一方表面全体と密着するので、被検査基板８の全体に渡って均一に加熱され、被検査基板８における各部の温度を均一化することができる。
【０１１１】
さらに、被検査基板８は、側壁部２３３，仕切板２３４、及び蓋体３０によって覆われ、外部への放熱や被検査基板８周辺の気流の乱れが低減されるので、被検査基板８における各部の温度の均一性を向上させることができる。
【０１１２】
このようにして、予熱保持部２３によって、被検査基板８の加熱が行われる（ステップＳ１１）。一方、ステップＳ６〜Ｓ１０の処理が実行されている間、投入ワークホルダ２１には被検査基板８が載置されていないので、ユーザは筐体２から投入ワークホルダ２１を引き出して、新たな被検査基板８を五つ、投入ワークホルダ２１に載置して投入ワークホルダ２１を押し込むことにより基板検査装置１に投入することができる（ステップＳ１２）。
【０１１３】
これにより、ステップＳ６〜Ｓ１０の処理と並行して新たな被検査基板８を基板検査装置１に投入することができるので、見かけ上、新たな被検査基板８を基板検査装置１に投入するために必要な作業時間をゼロにすることができ、被検査基板８の検査時間を短縮することができる。
【０１１４】
そして、ステップＳ５，Ｓ６と同様に、ステップＳ１１における被検査基板８の加熱と並行して搬送部３２により投入ワークホルダ２１に載置された新たな五つの被検査基板８が冷却保持部２２における載置部２２２ａ〜２２２ｅへ搬送され（ステップＳ１３）、冷却保持部２２により新たな五つの被検査基板８が設定温度、例えば０℃に冷却される（ステップＳ１４）。
【０１１５】
これにより、被検査基板８の加熱と、冷却保持部２２への新たな被検査基板８の搬送及び冷却とが並行して行われるので、見かけ上、被検査基板８の搬送及び冷却のための処理時間を短縮することができる。
【０１１６】
そして、予熱保持部２３による被検査基板８の加熱（ステップＳ１１）の開始から予め設定された所定時間、例えば３０秒が経過すると、制御部６０からの制御信号に応じて搬送駆動部４０によって、蓋体３０がスライド移動されて開蓋され、搬送部３２におけるバキュームヘッド３２１が、載置部２３２ａ〜２３２ｅにおける各被検査基板８を吸着可能な搬送位置に位置決めされる。
【０１１７】
次に、ステップＳ１４における新たな被検査基板８の冷却中に、制御部６０からの制御信号に応じて、搬送部３２により、予熱保持部２３における載置部２３２ａ〜２３２ｅに載置された五つの被検査基板８が加熱保持部２４における載置部２４２ａ〜２４２ｅへ搬送され、搬送駆動部４０によって蓋体２７が予熱保持部２３の上部にスライド移動され、載置部２４２ａ〜２４２ｅにおける側壁部２４３及び仕切板２４４の上端部からなる開口部が蓋体２７によって閉蓋される（ステップＳ１５）。
【０１１８】
そうすると、被検査基板８は、図９に示す載置部２４２ａにおいて、ダイ８２が凹部２４７にはめ込まれてダイ８２の表面がシート部材２５１に密着し、被検査基板８におけるダイ８２の周囲の基板部分がシート部材２４９に密着する。この場合、シート部材２４９，２５１は弾性を有するので、被検査基板８との密着度が向上する。
【０１１９】
そして、上述したステップＳ５において冷却保持部２２における載置部２２２ａ〜２２２ｅにより被検査基板８が吸着された場合と同様に、加熱保持部２４における載置部２４２ａ〜２４２ｅにより被検査基板８が吸着され、被検査基板８とシート部材２４９，２５１とが密着される。これにより、被検査基板８は、予め所定の設定温度、例えば１００°Ｃにされた加熱プレート２４１によって、熱伝導性のシートであるシート部材２４９，２５１を介して加熱されるので、載置部２４２ａ〜２４２ｅに被検査基板８が載置されてから加熱プレート２４１を加熱する場合よりも被検査基板８の加熱速度を向上させることができる。
【０１２０】
また、吸引ポンプ３９によって被検査基板８が弾性を有するシート部材２４９，２５１に吸着され、密着度が向上されるので、被検査基板８と加熱プレート２４１との間における熱伝導率が増大され、加熱プレート２４１による被検査基板８の加熱速度が増大される。そして、シート部材２４９，２５１は、被検査基板８における一方表面全体と密着するので、被検査基板８の全体に渡って均一に加熱され、被検査基板８における各部の温度を均一化することができる。
【０１２１】
さらに、被検査基板８は、側壁部２４３，仕切板２４４、及び蓋体２７によって覆われ、外部への放熱や被検査基板８周辺の気流の乱れが低減されるので、被検査基板８における各部の温度の均一性を向上させることができる。
【０１２２】
図２２、図２３は、加熱保持部２４により被検査基板８を加熱した場合の被検査基板８上の四隅近傍と中央付近とにおける温度変化を実験的に測定した結果を示すグラフである。図２２は蓋体２７を開蓋した状態で測定した結果を示すグラフであり、図２３は蓋体２７を閉蓋した状態で測定した結果を示すグラフである。
【０１２３】
図２２に示すように、蓋体２７を開蓋した状態では、被検査基板８を載置部２４２ａに吸着させ、加熱を開始（Ｔ４）してから４３秒後（Ｔ５）における被検査基板８の温度は、最も温度が高い箇所で９６．８℃、最も温度が低い箇所で９５．７℃となり、さらに加熱を開始（Ｔ４）してから１３０秒後（Ｔ６）における被検査基板８の温度は、最も温度が高い箇所で９８．２℃、最も温度が低い箇所で９７．０℃となった。
【０１２４】
一方、図２３に示すように、蓋体２７を閉蓋した状態では、被検査基板８を載置部２４２ａに吸着させ、加熱を開始（Ｔ４）してから４３秒後（Ｔ５）における被検査基板８の温度は、最も温度が高い箇所で９９．９℃、最も温度が低い箇所で９８．８℃となり、さらに加熱を開始（Ｔ４）してから１３０秒後（Ｔ６）における被検査基板８の温度は、最も温度が高い箇所で１００．９℃、最も温度が低い箇所で１００．２℃となった。
【０１２５】
以上のように、図２２、図２３に示す実験結果から、時間Ｔ５において、蓋体２７を開蓋した状態では最高９６．８℃、最低９５．７℃であるのに対し、蓋体２７を閉蓋した状態では最高９９．９℃、最低９８．８℃となり、時間Ｔ６において蓋体２７を開蓋した状態では最高９８．２℃、最低９７．０℃であるのに対し、蓋体２７を閉蓋した状態では最高１００．９℃、最低１００．２℃となり、時間Ｔ５，Ｔ６のいずれにおいても蓋体２７を閉蓋した場合の方が被検査基板８の温度が高くなり、蓋体２７を閉蓋することにより、被検査基板８の加熱速度が増大することが確認できた。
【０１２６】
また、同様に、図２２、図２３に示す実験結果から、時間Ｔ５において、蓋体２７を開蓋した状態では最高温度と最低温度との差が１．２℃であるのに対し、蓋体２７を閉蓋した状態では最高温度と最低温度との差が１．１℃となり、時間Ｔ６において、蓋体２７を開蓋した状態では最高温度と最低温度との差が１．２℃であるのに対し、蓋体２７を閉蓋した状態では最高温度と最低温度との差が０．７℃となり、時間Ｔ５，Ｔ６のいずれにおいても蓋体２７を閉蓋することにより、温度測定箇所による温度差が縮小し、被検査基板８における温度分布が均一化されることが確認できた。
【０１２７】
図２４は、予熱保持部２３及び加熱保持部２４によって、被検査基板８を加熱した場合の被検査基板８上の四隅近傍と中央付近とにおける温度変化を測定した実験結果を示すグラフである。まず、時間Ｔ７において、予熱保持部２３により被検査基板８の加熱を開始し、３０秒後（Ｔ８）における被検査基板８の温度は、最も温度が高い箇所で９９．２℃、最も温度が低い箇所で９７．３℃となり、設定温度１００℃に対して最大２．７℃の温度差が生じている。次に、予熱保持部２３から加熱保持部２４へ被検査基板８を搬送した後、時間Ｔ９において加熱保持部２４により被検査基板８の加熱を開始し、３０秒後（Ｔ１０）における被検査基板８の温度は、最も温度が高い箇所で１０１．２℃、最も温度が低い箇所で１００．０℃となり、設定温度１００℃に対する温度差は、最大１．２℃となった。
【０１２８】
すなわち、加熱保持部２４のみを用いて、設定温度１００℃に対する温度差を例えば１．５℃以内にする場合には、およそ、時間Ｔ７から時間Ｔ８の３０秒の予熱時間と時間Ｔ９から時間Ｔ１０の３０秒の加熱時間とを合わせた６０秒の加熱時間が必要となる。一方、基板検査装置１では、予熱保持部２３と加熱保持部２４とを用いて予熱保持部２３による予熱と加熱保持部２４による加熱とを並列して行うことができるので、見かけ上の加熱時間、すなわち被検査基板８の加熱処理におけるタクトタイムが約３０秒となり、タクトタイムを約１／２に短縮することができた。
【０１２９】
このようにして、加熱保持部２４により被検査基板８の加熱が行われる（ステップＳ１６）。そして、ステップＳ１４における冷却保持部２２による新たな被検査基板８の冷却開始から予め設定された所定時間、例えば３０秒が経過すると、ステップＳ７，Ｓ８と同様に制御部６０からの制御信号に応じて、搬送駆動部４０によって冷却保持部２２がガイドレール４１に沿って移送され、冷却プレート２２１に載置された五つの被検査基板８について、アライメント処理（ステップＳ１７）と温度測定（ステップＳ１８）とが行われた後、ステップＳ９と同様に、移動式プローブ３７，３８を用いた基板検査が行われる（ステップＳ１９）。
【０１３０】
そして、ステップＳ１９において、載置部２２２ａ〜２２２ｅに吸着されている被検査基板８のすべてについて基板検査が終了すると、制御部６０からの制御信号に応じて、搬送駆動部４０によって、冷却保持部２２がガイドレール４１に沿って図２における手前側に移送され、蓋体２６が開蓋され、搬送部３２におけるバキュームヘッド３２１が、載置部２２２ａ〜２２２ｅに吸着されている各被検査基板８を吸着可能な搬送位置に位置決めされる。
【０１３１】
なお、ステップＳ１４における新たな被検査基板８の冷却中に、ステップＳ１５における被検査基板８の搬送動作が並行して実行される例を示したが、ステップＳ１５における搬送動作は、例えばステップＳ１７〜Ｓ１９の処理中に並行して実行されるようにしてもよい。
【０１３２】
次に、ステップＳ１６における被検査基板８の加熱中に、制御部６０からの制御信号に応じて、搬送部３２により、冷却保持部２２における載置部２２２ａ〜２２２ｅに載置された五つの被検査基板８が予熱保持部２３における載置部２３２ａ〜２３２ｅへ搬送され、搬送駆動部４０によって蓋体３０が予熱保持部２３の上部にスライド移動され、載置部２３２ａ〜２３２ｅにおける側壁部２３３及び仕切板２３４の上端部からなる開口部が蓋体３０によって閉蓋され（ステップＳ２０）、ステップＳ１１と同様にして予熱保持部２３による被検査基板８の予熱が行われる（ステップＳ２１）。
【０１３３】
一方、ステップＳ１４〜Ｓ２１の処理が実行されている間、投入ワークホルダ２１には被検査基板８が載置されていないので、ユーザは筐体２から投入ワークホルダ２１を引き出して、さらに新たな被検査基板８を五つ、投入ワークホルダ２１に載置して投入ワークホルダ２１を押し込むことにより基板検査装置１に投入することができる（ステップＳ２２）。
【０１３４】
そして、ステップＳ５，Ｓ６と同様に、ステップＳ１６における被検査基板８の加熱と並行して搬送部３２により投入ワークホルダ２１に載置されたさらに新たな五つの被検査基板８が冷却保持部２２における載置部２２２ａ〜２２２ｅへ搬送され（ステップＳ２３）、冷却保持部２２により新たな五つの被検査基板８が設定温度、例えば０℃に冷却される（ステップＳ２４）。
【０１３５】
この場合、冷却保持部２２による冷却中の新たな被検査基板８についてアライメント処理（ステップＳ１７）、温度測定（ステップＳ１８）、基板検査（ステップＳ１９）、加熱保持部２４から予熱保持部２３への被検査基板８の搬送（ステップＳ２０）、被検査基板８の予熱処理（ステップＳ２１）の一部、被検査基板８の投入処理（ステップＳ２２）、及び投入ワークホルダ２１から冷却保持部２２への被検査基板８の搬送（ステップＳ２３）が、加熱保持部２４における被検査基板８の加熱処理（ステップＳ１６）と並行して行われるので、見かけ上、被検査基板８のアライメント、温度測定、基板検査、加熱保持部２４から予熱保持部２３への搬送、予熱、基板投入、及び投入ワークホルダ２１から冷却保持部２２への搬送のための処理時間を短縮することができる。
【０１３６】
そして、ステップＳ１６において、図１９に示すように蓋体２７を閉蓋した状態で加熱プレート２４１上の被検査基板８が加熱され、予め設定された所定時間、例えば３０秒が経過すると、制御部６０からの制御信号に応じて搬送駆動部４０によって、加熱保持部２４がガイドレール４２に沿って移送され、図２０に示すように、載置部２４２ａに吸着されている被検査基板８が長孔２６３と対向する位置に位置決めされる。
【０１３７】
そして、カメラ３４によって、長孔２６３を介して載置部２４２ａに吸着されている被検査基板８の画像が制御部６０へ送信され、制御部６０によってその被検査基板８の画像から検査位置のアライメント情報が取得されて検査制御部５０へ送信され、検査制御部５０によって、制御部６０からのアライメント情報に基づいて、被検査基板８を検査するための位置情報が補正される（ステップＳ２５）。また、非接触温度計３６によって、長孔２６３を介して載置部２４２ａに吸着されている被検査基板８の温度が測定されてその測定温度を示す温度データが制御部６０へ送信され、制御部６０によって、被検査基板８の温度が予め設定された温度範囲、例えば１００℃±３℃になっているか否かが確認される（ステップＳ２６）。この場合、長孔２６３は、アライメントや温度測定に必要な最小限の大きさにされているので、空気が長孔２６３を介して出入りすることが低減され、被検査基板８の温度変化が低減される。
【０１３８】
そして、被検査基板８の温度が例えば１００℃±３℃の範囲に入っていなければ被検査基板８の温度が当該温度範囲となるまで待って、被検査基板８の温度が例えば１００℃±３℃の範囲となれば、制御部６０からの制御信号に応じて搬送駆動部４０によって、加熱保持部２４がガイドレール４２に沿って載置部一つ分だけ移送され、載置部２４２ｂが長孔２６３と対向する位置に位置決めされ、ステップＳ２５，Ｓ２６の動作が繰り返される。この場合、載置部２４２ａ〜２４２ｅはそれぞれ仕切板２４４によって仕切られているので、アライメント処理中、及び温度測定中の被検査基板８以外の被検査基板８は、長孔２６３を介して出入りする空気にさらされることがなく、被検査基板８の温度変化が低減される。
【０１３９】
このようにして載置部２４２ａ〜２４２ｅに吸着されている五枚の被検査基板８について、アライメント処理（ステップＳ２５）と温度測定（ステップＳ２６）とが繰り返された後、制御部６０からの制御信号に応じて搬送駆動部４０によって、加熱保持部２４がガイドレール４２に沿って移送され、図２１に示すように、載置部２４２ａに吸着されている被検査基板８が開口部２８３と対向する位置に位置決めされる。
【０１４０】
そして、制御部６０からの制御信号に応じて検査制御部５０による基板検査が行われる（ステップＳ２７）。具体的には、まず、検査制御部５０からの制御信号に応じてプローブ駆動部４９（検査移送部）によって、移動式プローブ３７，３８が、固定蓋体２８における開口部２８３と対向する位置、すなわち冷却保持部２２に載置された被検査基板８を検査するための検査位置（第１の検査位置）から固定蓋体２９における開口部２８３と対向する位置、すなわち加熱保持部２４に載置された被検査基板８を検査するための検査位置（第２の検査位置）へ、ガイドレール４４に沿って移送される。
【０１４１】
これにより、移動式プローブ３７，３８を、冷却状態における被検査基板８の基板検査と、加熱状態における被検査基板８の基板検査とに共用して用いることができるので、移動式プローブ３７，３８を二つずつ備える必要がなく、移動式プローブ３７，３８の数を減少させて基板検査装置１のコストを低減することができる。
【０１４２】
なお、移動式プローブ３７，３８を、冷却状態における被検査基板８の基板検査と、加熱状態における被検査基板８の基板検査とに共用して用いる例を示したが、固定蓋体２８における開口部２８３と対向する位置に、冷却状態における被検査基板８の基板検査用の移動式プローブ（第１の検査部）を備え、固定蓋体２９における開口部２８３と対向する位置に、加熱状態における被検査基板８の基板検査用の移動式プローブ（第２の検査部）を別途備えてもよい。
【０１４３】
なお、制御部６０は、ステップＳ１９における検査終了後、ステップＳ１６，Ｓ２５，Ｓ２６の処理中にプローブ駆動部４９により移動式プローブ３７，３８を固定蓋体２８における開口部２８３と対向する位置（第１の検査位置）から固定蓋体２９における開口部２８３と対向する位置（第２の検査位置）へ移送させておくようにしてもよい。これにより、ステップＳ２７における移動式プローブ３７，３８の移送時間が短縮される。
【０１４４】
さらに、固定蓋体２９における開口部２８３を介して被検査基板８における二箇所の検査点に移動式プローブ３７，３８におけるプローブ３７１の先端部３７３がそれぞれ圧接され、検査制御部５０によって、当該二箇所の検査点間における抵抗値が四端子測定法により測定される。
【０１４５】
そして、検査制御部５０によって、載置部２４２ａに吸着されている被検査基板８において予め設定された全ての検査点間について、抵抗値が予め設定された閾値以下であれば、当該被検査基板８は良品であると判定されてその判定結果を示す信号が制御部６０へ出力される一方、被検査基板８において予め設定されたいずれかの検査点間について、抵抗値が予め設定された閾値を超えていれば、当該被検査基板８は導通不良があるものと判定され、その判定結果を示す信号が制御部６０へ出力されることにより、基板検査が行われる。
【０１４６】
この場合、固定蓋体２９における開口部２８３は、載置部一箇所分の大きさにされており、載置部２４２ａ〜２４２ｅはそれぞれ仕切板２４４によって仕切られているので、検査制御部５０による基板検査処理中の被検査基板８以外の被検査基板８は、固定蓋体２９における開口部２８３を介して出入りする空気にさらされることがなく、被検査基板８の温度変化が低減される。
【０１４７】
このようにして、載置部２４２ａに吸着されている被検査基板８の基板検査が終了すると、制御部６０からの制御信号に応じて搬送駆動部４０によって、加熱保持部２４がガイドレール４１に沿って載置部一つ分だけ移送され、以降、検査制御部５０による基板検査と搬送駆動部４０による載置部一つ分の加熱保持部２４の移送動作が繰り返されて、載置部２４２ｂ〜２４２ｅに吸着されている各被検査基板８について基板検査が行われる（ステップＳ２７）。
【０１４８】
この場合、加熱プレート２４１には、五つの載置部２４２ａ〜２４２ｅが設けられ、同時に五つの被検査基板８を加熱することができるので、被検査基板８を一つずつ加熱する場合と比べて加熱時間を短縮することができる。また、被検査基板８は、搬送部３２によってガイドレール４３に沿ってＸ軸方向に搬送されて加熱プレート２４１に載置され、加熱プレート２４１が搬送部３２による搬送方向と交差するＹ軸方向に搬送された後に、被検査基板８を移動式プローブ３７，３８により検査することができるので、ガイドレール４３に沿ってＸ軸方向に移動動作を行う搬送部３２の移動範囲外に移動式プローブの駆動機構を配設して、搬送部３２と移動式プローブの駆動機構との干渉を避けることが容易となる。
【０１４９】
なお、ステップＳ１６における被検査基板８の加熱中に、ステップＳ２０における新たな被検査基板８の搬送動作及びステップＳ２３におけるさらに新たな被検査基板８の搬送動作が行われる例を示したが、ステップＳ２０，Ｓ２３における搬送動作は、例えばステップＳ２５〜Ｓ２７の処理中に並行して実行されるようにしてもよい。
【０１５０】
そして、載置部２４２ａ〜２４２ｅに吸着されている被検査基板８のすべてについて基板検査が終了すると、制御部６０からの制御信号に応じて、搬送駆動部４０によって、加熱保持部２４がガイドレール４２に沿って図２における手前側に移送され、蓋体２７が開蓋され、搬送部３２におけるバキュームヘッド３２１が、載置部２４２ａ〜２４２ｅに吸着されている各被検査基板８を吸着可能な搬送位置（第２の搬送位置）に位置決めされる。
【０１５１】
次に、ステップＳ２１における新たな被検査基板８の予熱処理中であって、かつステップＳ２４におけるさらに新たな被検査基板８の冷却処理中において、制御部６０からの制御信号に応じて、搬送部３２により、加熱保持部２４における載置部２４２ａ〜２４２ｅに載置された五つの被検査基板８が収納ワークホルダ２５の上面に搬送され、載置される（ステップＳ２８）。
【０１５２】
この場合、予熱保持部２３における新たな被検査基板８の予熱処理（ステップＳ２１）と、加熱保持部２４におけるアライメント処理（ステップＳ２５）、温度測定（ステップＳ２６）、基板検査（ステップＳ２７）、及び被検査基板８の搬送処理（ステップＳ２８）と、冷却保持部２２におけるさらに新たな被検査基板８の冷却処理（ステップＳ２４）とは、並行して行われるので、見かけ上の処理時間を短縮し、単位時間当たりの被検査基板８の検査数量を増大させることができる。
【０１５３】
また、加熱保持部２４から収納ワークホルダ２５へ搬送された被検査基板８については、ステップＳ９における低温状態での基板検査と、ステップＳ２７における高温状態での基板検査とが終了しているので、制御部６０によって、収納ワークホルダ２５に載置されている五つの被検査基板８についての検査結果を示す信号が操作表示部１２へ送信され、操作表示部１２によってその検査結果が表示される。
【０１５４】
そして、１０本のノズル３１によって、収納ワークホルダ２５に載置された被検査基板８へ、常温の乾燥した空気が吹き付けられる（ステップＳ２９）。これにより、被検査基板８の温度を、４０°Ｃ程度の温度まで冷却する時間が短縮される。
【０１５５】
一方、予熱保持部２３による新たな被検査基板８の加熱（ステップＳ２１）の開始から予め設定された所定時間、例えば３０秒が経過すると、制御部６０からの制御信号に応じて搬送駆動部４０によって、蓋体３０がスライド移動されて開蓋され、搬送部３２におけるバキュームヘッド３２１が、載置部２３２ａ〜２３２ｅに吸着されている各被検査基板８を吸着可能な搬送位置に位置決めされる。
【０１５６】
そして、ステップＳ１５と同様に、ステップＳ２９における被検査基板８の冷却中に、搬送部３２により、予熱保持部２３における載置部２３２ａ〜２３２ｅに載置された新たな被検査基板８が加熱保持部２４における載置部２４２ａ〜２４２ｅへ搬送され（ステップＳ３０）、ステップＳ１６と同様に、加熱保持部２４によって新たな被検査基板８が加熱される（ステップＳ３１）。
【０１５７】
他方、ステップＳ２４における冷却保持部２２によるさらに新たな被検査基板８の冷却開始から予め設定された所定時間、例えば３０秒が経過すると、ステップＳ７，Ｓ８と同様に制御部６０からの制御信号に応じて、搬送駆動部４０によって冷却保持部２２がガイドレール４１に沿って移送され、冷却プレート２２１に載置された五つの被検査基板８について、アライメント処理（ステップＳ３２）と温度測定（ステップＳ３３）とが行われた後、検査制御部５０からの制御信号に応じてプローブ駆動部４９（検査移送部）によって、移動式プローブ３７，３８がステップＳ２７において過熱状態の被検査基板８を検査した第２の検査位置から固定蓋体２８における開口部２８３と対向する位置（第１の検査位置）へ、ガイドレール４４に沿って移送され、ステップＳ９と同様に、移動式プローブ３７，３８を用いた基板検査が行われる（ステップＳ３４）。
【０１５８】
なお、制御部６０は、ステップＳ２７における検査終了後、ステップＳ２８〜３３の処理中に、プローブ駆動部４９により移動式プローブ３７，３８を固定蓋体２８における開口部２８３と対向する位置（第１の検査位置）へ移送させておくようにしてもよい。これにより、ステップＳ３４における移動式プローブ３７，３８の移送時間が短縮される。
【０１５９】
また一方、ステップＳ２９における収納ワークホルダ２５上の被検査基板８が、所定時間、１０本のノズル３１により吹き付けられた空気によって冷却された後、ユーザが収納ワークホルダ２５の取っ手２５２を引っ張ることにより、収納ワークホルダ２５が筐体２から引き出されて収納ワークホルダ２５に載置された検査済みの被検査基板８が取り出され（ステップＳ３５）、ステップＳ４において基板検査装置１に投入された被検査基板８の検査を終了する。
【０１６０】
この場合、収納ワークホルダ２５における被検査基板８の冷却処理（ステップＳ２９）及び被検査基板８の取り出し（ステップＳ３５）と、予熱保持部２３から加熱保持部２４への新たな被検査基板８の搬送（ステップＳ３０）と、加熱保持部２４における加熱処理（ステップＳ３１）と、冷却保持部２２におけるさらに新たな被検査基板８の冷却処理（ステップＳ２４）、アライメント処理（ステップＳ３２）、温度測定（ステップＳ３３）、及び基板検査（ステップＳ３４）とは、並行して実行されるので、見かけ上の処理時間を短縮し、単位時間当たりの被検査基板８の検査数量を増大させることができる。
【０１６１】
なお、ステップＳ２４におけるさらに新たな被検査基板８の冷却中に、ステップＳ２８における被検査基板８の搬送動作が並行して実行される例を示したが、ステップＳ２８における搬送動作は、例えばステップＳ３２〜Ｓ３４の処理中に並行して実行されるようにしてもよい。
【０１６２】
そして、新たな被検査基板８について、ステップＳ２５〜Ｓ２９、Ｓ３５と同様の処理がステップＳ４１〜４５、Ｓ５１において繰り返され、ステップＳ５１において、検査済みの新たな被検査基板８が取り出され、検査を終了する。この場合、ステップＳ３５において被検査基板８の基板検査を終了してから、ステップＳ５１において新たな被検査基板８の基板検査を終了するまでの時間、すなわちタクトタイムＴが、新たな五つの被検査基板８についての見かけ上の処理時間となる。タクトタイムＴは、ステップＳ３１における被検査基板８の加熱時間の一部と、ステップＳ４１〜Ｓ４５，Ｓ５１の処理時間とを合わせた時間となる。
【０１６３】
一方、上述の投入ワークホルダ２１、冷却保持部２２、予熱保持部２３、加熱保持部２４、及び収納ワークホルダ２５による並行処理を行わない場合、新たな被検査基板８の検査には、ステップＳ１２〜Ｓ１４，Ｓ１７〜Ｓ２１，Ｓ３０，Ｓ３１，Ｓ４１〜Ｓ４５，Ｓ５１における処理時間が必要となるのに対し、基板検査装置１は、投入ワークホルダ２１、冷却保持部２２、予熱保持部２３、加熱保持部２４、及び収納ワークホルダ２５によって、いわゆるパイプライン動作による並行処理を行うことにより、ステップＳ１２〜Ｓ１４，Ｓ１７〜Ｓ２１，Ｓ３０における処理時間、及びステップＳ３１における処理時間の一部を見かけ上短縮し、新たな被検査基板８の検査をタクトタイムＴで実行することができる。
【０１６４】
以降、基板検査装置１によって、タクトタイムＴ毎に、新たな五つの被検査基板８の検査が繰り返されるので、上述の並列処理を行わない場合に対して単位時間当たりの被検査基板８の検査数量を増大させることができる。
【０１６５】
なお、冷却保持部２２、予熱保持部２３、及び加熱保持部２４を備え、まず冷却保持部２２で被検査基板８を冷却状態で検査した後、被検査基板８を予熱保持部２３で予熱し、加熱保持部２４で加熱した状態で検査する構成を示したが、予熱保持部２３の代わりに冷却保持部２２とほぼ同一の構成にされた予冷部を備え、まず加熱保持部２４で被検査基板８を加熱状態で検査した後、被検査基板８を予冷部で予冷し、冷却保持部２２で冷却した状態で検査する構成としてもよい。
【図面の簡単な説明】
【０１６６】
【図１】本発明の一実施形態に係る基板検査方法を用いた基板検査装置の構成の一例を示す外観斜視図である。
【図２】図１に示す基板検査装置における筐体の内部の構造の一例を示す概略構成図である。
【図３】図２に示す基板検査装置の筐体内部を上面視した概略構成を示す平面図である。
【図４】図２に示す投入ワークホルダの詳細の一例を示す斜視図である。
【図５】被検査基板の表裏の一例を示す図である。
【図６】図２に示す冷却部の構成の一例を示す外観斜視図である。
【図７】図６に示す冷却部の載置部及び載置部を囲む側壁部と仕切板とを示す部分拡大図である。
【図８】図２に示す予熱部及び加熱部の構成の一例を示す外観斜視図である。
【図９】図８に示す予熱部及び加熱部における載置部及び載置部を囲む側壁部と仕切板とを示す部分拡大図である。
【図１０】図２に示す蓋体の構成の一例を示す説明図である。
【図１１】図２に示す蓋体の構成の一例を示す説明図である。
【図１２】図２に示す固定蓋体の構成の一例を示す説明図である。
【図１３】図２に示す移動式プローブの詳細を示す外観図である。
【図１４】図２に示す基板検査装置の電気的構成の一例を示すブロック図である。
【図１５】図１４に示す基板検査装置の動作を説明するための説明図である。
【図１６】図１４に示す基板検査装置の動作を説明するための説明図である。
【図１７】蓋体を開蓋した状態で冷却部により被検査基板を冷却した場合の被検査基板上の四隅近傍と中央付近とにおける温度変化を実験的に測定した結果を示すグラフである。
【図１８】蓋体を閉蓋した状態で冷却部により被検査基板を冷却した場合の被検査基板上の四隅近傍と中央付近とにおける温度変化を実験的に測定した結果を示すグラフである。
【図１９】図１５，図１６に示すアライメント、温度測定、及び基板検査動作を説明するための説明図である。
【図２０】図１５，図１６に示すアライメント、温度測定、及び基板検査動作を説明するための説明図である。
【図２１】図１５，図１６に示すアライメント、温度測定、及び基板検査動作を説明するための説明図である。
【図２２】蓋体を開蓋した状態で加熱部により被検査基板を加熱した場合の被検査基板上の四隅近傍と中央付近とにおける温度変化を実験的に測定した結果を示すグラフである。
【図２３】蓋体を閉蓋した状態で加熱部により被検査基板を加熱した場合の被検査基板上の四隅近傍と中央付近とにおける温度変化を実験的に測定した結果を示すグラフである。
【図２４】予熱部及び加熱部によって、被検査基板を加熱した場合の被検査基板上の四隅近傍と中央付近とにおける温度変化を測定した実験結果を示すグラフである。
【符号の説明】
【０１６７】
１  基板検査装置
２  筐体
３，６  空気乾燥機
４  空気冷却機
８  被検査基板
１１，１２  操作表示部
１３  受入口
１４  排出口
２１  投入ワークホルダ
２２  冷却保持部
２３  予熱保持部
２４  加熱保持部
２５  収納ワークホルダ
２６，２７，３０  蓋体
２８，２９  固定蓋体
３１  ノズル
３２  搬送部
３３，３４  カメラ
３５，３６  非接触温度計
３７，３８  移動式プローブ
３９  吸引ポンプ
４０  搬送駆動部
４１，４２，４３，４４，４５  ガイドレール
４７，４８  昇降機構
４９  プローブ駆動部
５０  検査制御部
５１  ドライエア吹出口
５２  ドライエア排出口
６０  制御部
６１，６２，６３  温度調節器
８１  パット
８２  ダイ
２１１  凹部
２１２，２５２  取っ手
２２０  冷却器
２２１  冷却プレート
２２２ａ〜２２２ｅ，２３２ａ〜２３２ｅ，２４２ａ〜２４２ｅ  載置部
２２３  側壁部
２２４  仕切板
２２５  冷却ファン
２２６，２２８，２４７，２４８  孔
２２７  凹部
２２９，２４９，２５１，２７２  シート部材
２３１  予熱プレート
２３３  側壁部
２３４，２４４  仕切板
２３５  予熱用ヒータ
２４１  加熱プレート
２４３  側壁部
２４５  加熱用ヒータ
２５０，２７１  溝
２６１，２８１，３０１  シート
２６２，２８２，３０２  スペーサ
２６３  長孔
２８３  開口部
３２１  バキュームヘッド
３７１  プローブ
【図１】
0004764105.tif 000002
【図２】
0004764105.tif 000003
【図３】
0004764105.tif 000004
【図４】
0004764105.tif 000005
【図５】
0004764105.tif 000006
【図６】
0004764105.tif 000007
【図７】
0004764105.tif 000008
【図８】
0004764105.tif 000009
【図９】
0004764105.tif 000010
【図１０】
0004764105.tif 000011
【図１１】
0004764105.tif 000012
【図１２】
0004764105.tif 000013
【図１３】
0004764105.tif 000014
【図１４】
0004764105.tif 000015
【図１５】
0004764105.tif 000016
【図１６】
0004764105.tif 000017
【図１７】
0004764105.tif 000018
【図１８】
0004764105.tif 000019
【図１９】
0004764105.tif 000020
【図２０】
0004764105.tif 000021
【図２１】
0004764105.tif 000022
【図２２】
0004764105.tif 000023
【図２３】
0004764105.tif 000024
【図２４】
0004764105.tif 000025